(57)【要約】  【課題】  光源からの照明光のばらつきを原因とする撮像部における出力値の飽和による不具合の発生を防止することのできる技術を提供する。  【解決手段】  それぞれが互いに異なる色の照明光で読み取り対象である原稿面を照明する複数の光源と、前記複数の光源から照射され前記原稿面にて反射される光を撮像する撮像部と、前記複数の光源の内のいずれか１つを基準光源として、該基準光源以外の他の光源の光量が前記基準光源の光量に対して所定の比率となるように、前記複数の光源を発光させる制御部と、前記撮像部にて撮像される光量が所定の上限値としての閾値を越える場合に、前記撮像部にて撮像される光量が該閾値以下となるように、前記基準光源を発光させる電源の電流値を下げる調整部とを備えてなる。  【選択図】  図２
2007306078.tif 000002
【特許請求の範囲】
【請求項１】
それぞれが互いに異なる色の照明光で読み取り対象である原稿面を照明する複数の光源と、
前記複数の光源から照射され前記原稿面にて反射される光を撮像する撮像部と、
前記複数の光源の内のいずれか１つを基準光源として、該基準光源以外の他の光源の光量が前記基準光源の光量に対して所定の比率となるように、前記複数の光源を発光させる制御部と、
前記基準光源のみによって所定の基準面を照明した際に前記撮像部にて撮像される光量が所定の上限値としての閾値を越える場合に、前記撮像部にて撮像される光量が該閾値以下となるように、前記基準光源を発光させる電源の電流値を下げる調整部と
を備えてなる画像読取装置。
【請求項２】
それぞれが互いに異なる色の照明光で読み取り対象である原稿面を照明する複数の光源と、
前記複数の光源から照射され前記原稿面にて反射される光を撮像する撮像部と、
前記複数の光源の内のいずれか１つを基準光源として、該基準光源以外の他の光源の光量が前記基準光源の光量に対して所定の比率となるように、前記複数の光源を発光させる制御部と、
前記基準光源のみによって所定の基準面を照明した際に前記撮像部にて撮像される光量が所定の下限値としての閾値を下回る場合に、前記撮像部にて撮像される光量が該閾値以上となるように、前記撮像部の受光感度を上げる調整部と
を備えてなる画像読取装置。
【請求項３】
請求項１または請求項２に記載の画像読取装置において、
前記複数の光源は、赤色ＬＥＤ、緑色ＬＥＤ、青色ＬＥＤおよび黄緑色ＬＥＤのうち少なくともいずれかを含む画像読取装置。
【請求項４】
請求項１乃至請求項３のいずれか１項に記載の画像読取装置と、
前記画像読取装置にて読み取られた原稿の画像データに基づいて、シートに画像を形成する画像形成部と
を備えてなる画像処理装置。
【請求項５】
それぞれが互いに異なる色の照明光である複数の光源から照射され読み取り対象である原稿面にて反射される光を撮像する撮像ステップと、
前記複数の光源の内のいずれか１つを基準光源として、該基準光源のみによって所定の基準面を照明した際に前記撮像ステップにて撮像される光量が所定の上限値としての閾値を越える場合に、前記撮像ステップにて撮像される光量が該閾値以下となるように、前記基準光源を発光させる電源の電流値を下げる調整ステップと、
前記基準光源以外の他の光源の光量が前記基準光源の光量に対して所定の比率となるように、前記複数の光源を発光させる制御ステップと
を備えてなる画像読取方法。
【請求項６】
それぞれが互いに異なる色の照明光である複数の光源から照射され読み取り対象である原稿面にて反射される光を撮像部にて撮像させる撮像ステップと、
前記複数の光源の内のいずれか１つを基準光源として、該基準光源のみによって所定の基準面を照明した際に前記撮像ステップにて撮像される光量が所定の下限値としての閾値を下回る場合に、前記撮像部にて撮像される光量が該閾値以上となるように、前記撮像部の受光感度を上げる調整ステップと、
前記基準光源以外の他の光源の光量が前記基準光源の光量に対して所定の比率となるように、前記複数の光源を発光させる制御ステップと
を備えてなる画像読取方法。
【請求項７】
請求項５または請求項６に記載の画像読取方法において、
前記複数の光源は、赤色ＬＥＤ、緑色ＬＥＤ、青色ＬＥＤおよび黄緑色ＬＥＤのうち少なくともいずれかを含む画像読取方法。
【発明の詳細な説明】
【技術分野】
【０００１】
本発明は、画像読取装置に関し、光源から照射され原稿面から反射される光を撮像する場合における撮像部の出力値の飽和を防止する技術に関するものである。
【背景技術】
【０００２】
従来、原稿を照明する手段として赤色ＬＥＤ、青色ＬＥＤおよび緑色ＬＥＤの三色のＬＥＤを光源に用いた画像読取装置が知られる。このような構成の画像読取装置では、赤色ＬＥＤ、青色ＬＥＤおよび緑色ＬＥＤそれぞれの光量を制御する手段として、赤色ＬＥＤ、青色ＬＥＤおよび緑色ＬＥＤの内いずれか１つのＬＥＤを基準光源とし、当該基準光源の光量を基準として他の２つのＬＥＤの光量を制御する技術が知られる。
【発明の開示】
【発明が解決しようとする課題】
【０００３】
しかしながら、ＬＥＤはキセノンランプ等の他の光源に比べ、光量のばらつきが多く、上記従来の画像読取装置の場合、赤色ＬＥＤ、青色、緑色ＬＥＤのうちの基準となるＬＥＤの光量（基準光量）にバラツキがある場合、基準光量が最大のものと最小のものでは、光源全体としての光量が大きく異なる。例えば、基準光量が最大のものの場合、撮像部（例えばＣＣＤ）において検知できる光量のレンジを超えてしまい、撮像部における出力値が飽和してしまう（レンジを越えた分のデータが失われてしまう）と言った不具合が発生する。
【０００４】
本発明は上述した問題点を解決するためになされたものであり、光源からの照明光のばらつきを原因とする撮像部における出力値の飽和による不具合の発生を防止することのできる技術を提供することを目的とする。
【課題を解決するための手段】
【０００５】
上述した課題を解決するため、本発明に係る画像読取装置は、それぞれが互いに異なる色の照明光で読み取り対象である原稿面を照明する複数の光源と、前記複数の光源から照射され前記原稿面にて反射される光を撮像する撮像部と、前記複数の光源の内のいずれか１つを基準光源として、該基準光源以外の他の光源の光量が前記基準光源の光量に対して所定の比率となるように、前記複数の光源を発光させる制御部と、前記基準光源のみによって所定の基準面を照明した際に前記撮像部にて撮像される光量が所定の上限値としての閾値を越える場合に、前記撮像部にて撮像される光量が該閾値以下となるように、前記基準光源を発光させる電源の電流値を下げる調整部とを備えてなることを特徴とするものである。
【０００６】
また、本発明に係る画像読取装置は、それぞれが互いに異なる色の照明光で読み取り対象である原稿面を照明する複数の光源と、前記複数の光源から照射され前記原稿面にて反射される光を撮像する撮像部と、前記複数の光源の内のいずれか１つを基準光源として、該基準光源以外の他の光源の光量が前記基準光源の光量に対して所定の比率となるように、前記複数の光源を発光させる制御部と、前記基準光源のみによって所定の基準面を照明した際に前記撮像部にて撮像される光量が所定の下限値としての閾値を下回る場合に、前記撮像部にて撮像される光量が該閾値以上となるように、前記撮像部の受光感度を上げる調整部とを備えてなることを特徴とするものである。
【０００７】
また、本発明に係る画像読取方法は、それぞれが互いに異なる色の照明光である複数の光源から照射され読み取り対象である原稿面にて反射される光を撮像する撮像ステップと、前記複数の光源の内のいずれか１つを基準光源として、該基準光源のみによって所定の基準面を照明した際に前記撮像ステップにて撮像される光量が所定の上限値としての閾値を越える場合に、前記撮像ステップにて撮像される光量が該閾値以下となるように、前記基準光源を発光させる電源の電流値を下げる調整ステップと、前記基準光源以外の他の光源の光量が前記基準光源の光量に対して所定の比率となるように、前記複数の光源を発光させる制御ステップとを備えてなることを特徴とするものである。
【０００８】
また、本発明に係る画像読取方法は、それぞれが互いに異なる色の照明光である複数の光源から照射され読み取り対象である原稿面にて反射される光を撮像部にて撮像させる撮像ステップと、前記複数の光源の内のいずれか１つを基準光源として、該基準光源のみによって所定の基準面を照明した際に前記撮像ステップにて撮像される光量が所定の下限値としての閾値を下回る場合に、前記撮像部にて撮像される光量が該閾値以上となるように、前記撮像部の受光感度を上げる調整ステップと、前記基準光源以外の他の光源の光量が前記基準光源の光量に対して所定の比率となるように、前記複数の光源を発光させる制御ステップとを備えてなることを特徴とするものである。
【発明の効果】
【０００９】
以上に詳述したように本発明によれば、光源からの照明光のばらつきを原因とする撮像部における出力値の飽和による不具合の発生を防止することのできる技術を提供することができる。
【発明を実施するための最良の形態】
【００１０】
以下、本発明の実施の形態について図面を参照しつつ説明する。
【００１１】
図１は、本実施の形態による画像読取装置およびこれを備えた画像処理装置について説明するための全体構成図である。本実施の形態による画像読取装置１は、同図に示すように画像処理装置（MFP：Multi Function Peripheral）Ｍに設置されている。
【００１２】
図１に示す画像処理装置Ｍは、画像読取装置１および画像形成装置（画像形成部）２を備えてなる構成となっている。画像形成装置２は、外部機器から受信した画像データや画像読取装置１にて原稿から読み取られた画像データに基づくシートへの画像形成処理（プリント処理やコピー処理等）が可能となっている。
【００１３】
画像読取装置１は、原稿を照明する光源および当該光源により照明された原稿面からの反射光を撮像するための光学系および撮像部を備えたＣＩＳ（Contact Image Sensor）１２０を所定方向Ｒに移動させることにより原稿台ガラス１０９上に載置された原稿の画像を読み取る手置き読み取りと、Ｆ方向に移動する（ＡＤＦ（Auto Document Feeder）により搬送される）原稿の画像を所定位置Ｐで静止したＣＩＳ１２０によって読み取るＡＤＦ読み取りとが可能となっている。
【００１４】
図２は、本実施の形態による画像読取装置１におけるＣＩＳ１２０（キャリッジ）の詳細を示す構成図である。同図に示すように、ＣＩＳ１２０は、第１の照明部１２１、第２の照明部１２２、光学系１２５および撮像部１２６を備えている。また、画像処理装置Ｍは、画像読取装置１および画像形成装置２にて利用されるＣＰＵ８０１およびＭＥＭＯＲＹ８０２を備えている。
【００１５】
第１の照明部１２１は、光源として赤色ＬＥＤ、緑色ＬＥＤおよび青色ＬＥＤの３つを備えた白色タイプの導光管から構成され、原稿面に対して所定角度だけ傾斜する方向から原稿面を照明する。
【００１６】
第２の照明部１２２は、光源として黄緑色ＬＥＤを備えたＬＥＤアレイから構成され、第１の照明部とは異なる分光特性を有し、原稿面に対する法線に対して第１の照明部と略対称的な方向から原稿面を照明する。このように、それぞれが互いに異なる色の照明光により、原稿面に対して線対照な二つの位置から照明することにより、原稿面上の凹凸の有無に拘らず、影の無い読み取り画像を得ることができる。このように、本実施の形態による画像読取装置における複数の光源は、赤色ＬＥＤ、緑色ＬＥＤ、青色ＬＥＤおよび黄緑色ＬＥＤのうち少なくともいずれかを含んでいる。
【００１７】
光学系１２５は、セルフォックレンズ等から構成され、第１の照明部１２１および第２の照明部１２２から照射され原稿面にて反射された光（図２における下方へ向かう矢印参照）を、所定の結像位置へと導く。ここでは、光学系１２５は、その全部がＣＩＳ１２０上に配置されている例を示している。
【００１８】
撮像部１２６は、光電変換素子等から構成され、光学系１２５により所定の結像位置へと導かれた光を撮像する。ここでは、撮像部１２６はＣＣＤであるものとする。撮像部１２６にて撮像された原稿の画像は、ＭＥＭＯＲＹ８０２に格納され、必要に応じて画像形成装置２或いは画像処理装置Ｍと通信可能な外部機器に対して送信される。このような構成のＣＩＳ１２０は、駆動ベルト１０８によりＲ方向に駆動される。
【００１９】
図３は、本実施の形態による画像読取装置について説明するための機能ブロック図である。同図に示すように、本実施の形態による画像読取装置１は、複数の光源、制御部１０１、調整部１０２、撮像部１２６、ＣＰＵ８０１およびＭＥＭＯＲＹ８０２を備えてなる構成となっている。
【００２０】
制御部１０１は、複数の光源の内のいずれか１つを基準光源として、該基準光源以外の他の光源の光量が基準光源の光量に対して所定の比率となるように、複数の光源を発光させる。具体的に、制御部１０１は、第１の照明部１２１および第２の照明部１２２を構成する複数の光源のうち最も出力値の高い光源（ここでは、第１の照明部１２１を構成する緑色ＬＥＤ）を基準光源とし、他の光源の出力値をＤ／Ａコンバータで調節することにより、基準光源以外の光源（赤色ＬＥＤ、青色ＬＥＤ、黄緑色ＬＥＤ）の光量が緑色ＬＥＤの光量に対して、例えば以下の比率
赤色ＬＥＤの光量：緑色ＬＥＤの光量：青色ＬＥＤの光量：黄緑色ＬＥＤの光量
＝  ０．２６：１．０：０．２２：１．０２
となるように各ＬＥＤを発光させる。
【００２１】
調整部１０２は、基準光源のみによって所定の基準面（図２に示すシェーディング補正板（白基準板）に相当）を照明した際に撮像部１２６にて撮像される光量が所定の上限値としての閾値を越える場合に、撮像部１２６にて撮像される光量が該閾値以下となるように、基準光源を発光させる電源の電流値を下げる。具体的に、調整部１０２は、Ｄ／Ａコンバータで調節することにより、緑色ＬＥＤに供給する電源の電流値を例えば約１／２にする。
【００２２】
一方、調整部１０２は、撮像部１２６にて撮像される光量が所定の下限値としての閾値を下回る場合に、撮像部１２６にて撮像される光量が該閾値以上となるように、撮像部１２６の受光感度を上げる。
【００２３】
ＣＰＵ８０１は、画像読取装置１および画像処理装置Ｍにおける各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像読取装置１および画像処理装置Ｍにおいて利用される種々の情報やプログラムを格納する役割を有している。
【００２４】
本実施の形態のように、ＬＥＤを照明手段として用いる場合、ＬＥＤの製品毎の特性のバラツキや経年変化による劣化によって、ＬＥＤの光量が変化することがある。このようなＬＥＤの光量の変化は、各々の画像読取装置における、画像読み取り濃度の差の原因となる。この問題を防ぐために、画像読取装置１の起動時や画像調整時に、各ＬＥＤの光量の最適化を行なうことにより、画像読み取りの濃度差の発生を防止している。図４〜図９は、本実施の形態による画像読取装置１における各ＬＥＤの光量の最適化の処理の流れを示すフローチャートである。
【００２５】
本実施の形態による画像読取装置１では、基準光源である緑色ＬＥＤの光量は制御せず、基準光源の光量のみに基づいてＣＣＤ出力のゲインを調整し、その後、赤色、青色、黄緑色のＬＥＤの光量を制御する。詳細を以下に説明する。
【００２６】
まず、ＣＣＤ出力のゲインの調整を図４および図５を用いて説明する。画像読取装置の起動時に、キャリッジを、基準色である白基準検出位置に移動する（Ｓ１０１）。この状態で、まず、基準光源（例えば、緑色ＬＥＤ）のみを点灯させ（Ｓ１０２）、緑色ＬＥＤ以外のＬＥＤを消灯する（Ｓ１０３）。この時、ピーク検出データＭａｘＡ〜ＭａｘＤと閾値６（上限値としての閾値に相当）を比較し（Ｓ１０４〜Ｓ１０８）、ＭａｘＡ〜ＭａｘＤが閾値６以上であれば（Ｓ１０８，Ｙｅｓ）、緑色ＬＥＤの光量が大きすぎるのでエラーとなり、サービスコールとして使用者に光源の異常を知らせる（Ｓ１０９）。ＭａｘＡ〜ＭａｘＤが閾値６より小さければ（Ｓ１０８，Ｎｏ）、ピーク検出を開始する（Ｓ１１０）。ピーク検出とは、白基準検出位置（図１における位置Ｐ）にて、ＣＣＤ出力を最適化する動作である。また、ピーク検出データＭａｘＡ〜ＭａｘＤとは、ＣＩＳは４チャンネル構成であるため、各チャンネル毎のＣＣＤ出力の最大値である。
【００２７】
ピーク検出開始後、ＭａｘＡ〜ＭａｘＤが閾値５以上となるまで、ＣＣＤ出力のゲインを上げていく（Ｓ１１０〜Ｓ１１７）。この動作を繰り返し、ゲインを最大値まで上げても、ＭａｘＡ〜ＭａｘＤ  が閾値５（下限値としての閾値に相当）以上とならない場合（Ｓ１１４，Ｙｅｓ）は光量が調整できないとして、サービスコールとして、ユーザに光源の異常を知らせる（Ｓ１１９）。ＭａｘＡ〜ＭａｘＤが閾値５以上となれば（Ｓ１１５，Ｎｏ）、ＣＣＤ出力のゲインが調整できたとして、緑色ＬＥＤでの光量制御を終了する。この時、前処理レジスタのゲインの最大値を抽出し、ゲイン調整値をレジスタＧ＿ＬＥＤ＿ＭＡＸ＿ＣＨに書き込む（Ｓ１１５，Ｓ１１６）。
【００２８】
ＣＣＤ出力のゲインの調整後、図６および図７のように赤色ＬＥＤの光量制御を行う。まず、赤色ＬＥＤのみを点灯し（Ｓ２０１）、その他のＬＥＤを消灯する。その状態にて、ＣＣＤ出力のゲインの調整値をレジスタより読み込み、ゲインを設定する（Ｓ２０２〜Ｓ２０５）。この時のＣＣＤ出力と閾値７と閾値８とをそれぞれ比較し（Ｓ２０６）、ＣＣＤ出力が閾値７より小さければ、ＣＣＤ出力を上げるために、Ｄ／Ａコンバータにより赤色ＬＥＤの電圧の設定値であるＦＦＥＢ１４Ｈの値を上げ、再度、閾値７とＣＣＤ出力の比較を繰り返す（Ｓ２０９〜Ｓ２１５）。これを、ＦＦＥＢ１４Ｈの最大値まで繰り返してもＣＣＤ出力が閾値７以上とならなければ、サービスコールとして、使用者に光源の異常を知らせる（Ｓ２１１，Ｓ２１２）。ＣＣＤ出力が閾値８より大きい場合は、ＣＣＤ出力を下げるために、ＦＦＥＢ１４Ｈの値を下げ、再度、閾値７とＣＣＤ出力の比較を繰り返す（Ｓ２０７〜Ｓ２１５）。これを、ＦＦＥＢ１４Ｈの最小値まで繰り返してもＣＣＤ出力が閾値８以下とならなければ、サービスコールとして、使用者に光源の異常を知らせる（Ｓ２１１，Ｓ２１２）。このようにして、ＣＣＤ出力が閾値７以上、閾値８以下となれば、その時のＦＦＥＢ１０Ｈの値をＮＶＲＡＭに書き込む（Ｓ２１３，Ｓ２１４）。
【００２９】
図８は、青色ＬＥＤの光量制御について説明するためのフローチャートである。同図における処理（Ｓ３０１〜Ｓ３１５）は、赤色ＬＥＤにおける光量制御の処理内容（Ｓ２０１〜Ｓ２１５）と同様であるため、詳細な説明は割愛する。図８に示す処理では、ＣＣＤの出力が閾値９以上閾値１０以下になるようにＦＦＢ１８Ｈの値を調整し、調整後、その値をＮＶＲＡＭに書き込む。
【００３０】
図９は、黄緑色ＬＥＤの光量制御について説明するためのフローチャートである。同図における処理（Ｓ４０１〜４１５）も、赤色ＬＥＤにおける光量制御の処理内容（Ｓ２０１〜Ｓ２１５）と同様であるため、詳細な説明は割愛する。図９に示す処理では、ＣＣＤの出力が閾値１１以上閾値１２以下になるようにＦＦＢ１４Ｈの値を調整し、調整後、その値をＮＶＲＡＭに書き込む。
【００３１】
上記のように、赤色，青色，黄緑色のＬＥＤの光量を調整後、再びピーク検出を行い、ＣＣＤ出力のゲインを調整する。
【００３２】
なお、本実施の形態では、上述のフローチャートにて示した閾値５〜閾値１２は以下のようになっている。
閾値５    ：  ９７
閾値６    ：  １０２
閾値７    ：  ２４
閾値８    ：  ２７
閾値９    ：  ２０
閾値１０  ：  ２３
閾値１１  ：  １００
閾値１２  ：  １０５
【００３３】
また、本実施の形態における、閾値５〜閾値１２の値は、緑色ＬＥＤ，赤色ＬＥＤ，青色ＬＥＤ，黄緑色ＬＥＤの光量の比率を上述した比率にするように設定されている。
【００３４】
上述のような光量制御を行なうことにより、画像読取装置１にて原稿の画像読み取りを行う際は、ＮＶＲＡＭに書き込んだ赤色，青色，黄緑色のＬＥＤの光量の設定値を読み込むことによって、常に最適な光量で画像読み取りを行うことができる。
【００３５】
なお、基準光源である緑色ＬＥＤの光量にバラツキがある場合、つまり、基準光源の光量がばらつきの範囲の最大値のＬＥＤであるとき、図４および図５に示すように、閾値６以上となり、ＣＣＤ出力が飽和してしまう。そこで、図１０に示す緑色ＬＥＤ駆動回路に、５Ｖと０Ｖを切り替えて入力することにより、緑色ＬＥＤへの電流を１倍にするか１／２倍にするかを切り替えることができる。図４および図５に示すフローチャートにおいて、ＣＣＤ出力が閾値６以上であれば、上記駆動回路において５Ｖと０Ｖを切り替えて入力することにより、緑色ＬＥＤへの電流を１／２倍にし、緑色ＬＥＤの光量を半減させることができる。
【００３６】
図１１に示すように、従来技術では、光量最大品（光量のばらつきの中で最大値の光量を有する製品）で光量を制御した場合、ＣＣＤ出力が飽和していたが、本発明における光量制御を用いることにより、光量最大品と光量最小品（光量のばらつきの中で最小値の光量を有する製品）どちらにおいても、ＣＣＤ出力が飽和しない適切な光量を設定することができる。
【００３７】
図１２は、本実施の形態による画像読取装置における処理（画像読取方法）の大まかな流れについて説明するためのフローチャートである。
【００３８】
まず、撮像部１２６にて、それぞれが互いに異なる色の照明光である複数の光源（赤色ＬＥＤ、緑色ＬＥＤ、青色ＬＥＤ、黄緑色ＬＥＤ）から照射され読み取り対象である原稿面にて反射される光を撮像する（撮像ステップ）（Ｓ５０１）。
【００３９】
次に、調整部１０２は、基準光源のみによって所定の基準面を照明した際に撮像ステップにて撮像される光量が所定の上限値としての閾値を越える場合に（Ｓ５０２，Ｙｅｓ）、複数の光源の内のいずれか１つを基準光源として、撮像ステップにて撮像される光量が該閾値以下となるように、基準光源を発光させる電源の電流値を下げる（調整ステップ）（Ｓ５０３）。一方、撮像ステップにて撮像される光量が所定の下限値としての閾値を下回る場合には（Ｓ５０４，Ｙｅｓ）、調整部１０２は、撮像部１２６にて撮像される光量が該閾値以上となるように、撮像部１２６の受光感度を上げる（調整ステップ）（Ｓ５０５）。
【００４０】
制御部１０１は、複数の光源の内のいずれか１つを基準光源として、該基準光源以外の他の光源の光量が基準光源の光量に対して所定の比率となるように、複数の光源を発光させる（制御ステップ）（Ｓ５０６）。
【００４１】
上述の画像読取装置での処理における各ステップは、ＭＥＭＯＲＹ８０２に格納されている画像読取プログラムをＣＰＵ８０１に実行させることにより実現されるものである。
【００４２】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４３】
以上のように、本実施の形態によれば、光源としてＬＥＤのように光量のばらつきが大きい照明装置を用いた場合における、ＣＣＤ出力の飽和を防止することができ、安定したＣＣＤ出力を得ることが可能となる。
【００４４】
本発明を特定の態様により詳細に説明したが、本発明の精神および範囲を逸脱しないかぎり、様々な変更および改質がなされ得ることは、当業者には自明であろう。
【図面の簡単な説明】
【００４５】
【図１】本実施の形態による画像読取装置およびこれを備えた画像処理装置について説明するための全体構成図である。
【図２】本実施の形態による画像読取装置１におけるＣＩＳ１２０（キャリッジ）の詳細を示す構成図である。
【図３】本実施の形態による画像読取装置について説明するための機能ブロック図である。
【図４】ＣＣＤ出力のゲインの調整について説明するための図である。
【図５】ＣＣＤ出力のゲインの調整について説明するための図である。
【図６】赤色ＬＥＤの光量制御について説明するためのフローチャートである。
【図７】赤色ＬＥＤの光量制御について説明するためのフローチャートである。
【図８】青色ＬＥＤの光量制御について説明するためのフローチャートである。
【図９】黄緑色ＬＥＤの光量制御について説明するためのフローチャートである。
【図１０】緑色ＬＥＤの駆動回路を示す図である。
【図１１】本発明の効果について説明するための図である。
【図１２】本実施の形態による画像読取装置における処理（画像読取方法）の大まかな流れについて説明するためのフローチャートである。
【符号の説明】
【００４６】
Ｍ  画像処理装置、１  画像読取装置、１０１  制御部、１０２  調整部、１２６  撮像部、８０１  ＣＰＵ、８０２  ＭＥＭＯＲＹ。
【図１】
2007306078.tif 000003
【図２】
2007306078.tif 000004
【図３】
2007306078.tif 000005
【図４】
2007306078.tif 000006
【図５】
2007306078.tif 000007
【図６】
2007306078.tif 000008
【図７】
2007306078.tif 000009
【図８】
2007306078.tif 000010
【図９】
2007306078.tif 000011
【図１０】
2007306078.tif 000012
【図１１】
2007306078.tif 000013
【図１２】
2007306078.tif 000014